(57)【要約】【課題】本発明は、経年変化等により伸縮変形が生じても、その変形を吸収してドレンガイドと主熱交換器との隙間を均等に維持し、ドレン水処理の信頼性向上を得られる空気調和機を提供する。【解決手段】主熱交換器１０Ａと補助熱交換器１０Ｃとからなる熱交換器１０を備え、主熱交換器下端部に前ドレンパン１７を配置し、補助熱交換器の下端部ドレン水を受けて主熱交換器に案内するドレンガイド２０を備え、主熱交換器の一方の端板Ｔに引掛け爪部４０Ｂを設け、ドレンガイドの一端部に主熱交換器端板の引掛け爪部に可動可能に掛止する掛止部２２を設け、ドレンガイドの他端部にフィンＦ相互間に挿通して熱交換パイプＰに掛止する差し爪部２３を備えた。【選択図】      図３
2005214448.tif 000002
【特許請求の範囲】
【請求項１】
本体内に配設され、それぞれ複数のフィンを狭小の間隙を存して並設し、これらフィンに熱交換パイプを貫通してなる主熱交換器と、この主熱交換器前面の一部に取付けられる補助熱交換器とからなる熱交換器を備え、上記主熱交換器の下端部下方にドレン水を受けるドレンパンを配置し、上記補助熱交換器の下端部下方にドレン水を受けて上記主熱交換器に案内するドレンガイドを備えた空気調和機において、
上記主熱交換器は、一方の側端部に引掛け爪部を設けた端板を設け、
上記ドレンガイドは、主熱交換器の幅方向に形成され、補助熱交換器の下部前方から下方部を覆い補助熱交換器から滴下するドレン水を受け止める水受け案内部と、主熱交換器のフィン前面に当接されドレン水を主熱交換器側に導くように上記水受け案内部の下端に沿って主熱交換器の表面に接するように延設される面を構成する当て部とが一体に折曲形成された構成を有するとともに、一端部に設けられ主熱交換器端板の上記引掛け爪部に可動可能に掛止する掛止部と、他端部に設けられ上記主熱交換器を構成するフィン相互間に挿通して主熱交換器を構成する上記熱交換パイプに掛止する差し爪部とを備えたことを特徴とする空気調和機。
【請求項２】
上記ドレンガイドは、上記当て部の主熱交換器と接触部する面に、ドレンガイドと主熱交換器との間から流下しようとするドレン水の流下速度を低減させる邪魔板部を備えたことを特徴とする請求項１記載の空気調和機。
【請求項３】
本体内に配設され、それぞれ複数のフィンを狭小の間隙を存して並設し、これらフィンに熱交換パイプを貫通してなる主熱交換器と、この主熱交換器前面の一部に取付けられる補助熱交換器とからなる熱交換器を備え、上記主熱交換器の下端部下方にドレン水を受けるドレンパンを配置し、上記補助熱交換器の下端部下方にドレン水を受けて上記主熱交換器に案内するドレンガイドを備えた空気調和機において、
上記主熱交換器は、上記補助熱交換器の下端部下方に対応するフィン前面部に幅方向に亘って設けられ前面から奥行き方向に向かって切り欠かれた掛止用溝部を有し、
上記ドレンガイドは、幅方向に亘って設けられ主熱交換器の上記掛止用溝部に挿入する挿入片部と、
この挿入片部の幅方向複数箇所に設けられ、上記掛止用溝部に対して引掛け固定する爪片部とを有することを特徴とする空気調和機。
【発明の詳細な説明】
【技術分野】
【０００１】
本発明は、主熱交換器と補助熱交換器とからなる熱交換器を備えた空気調和機に係り、特に補助熱交換器で生成されるドレン水を受けて主熱交換器に案内するドレンガイドの取付け構造の改良に関する。
【背景技術】
【０００２】
［特許文献１］には、本体の前面上部および、または上面に設けられた吸込口と、前面下部に設けられた吹出口とを結ぶ空気通路に、下部にドレンパンを備えた垂直部とその上端を後方に折曲した後方傾斜部および、またはその後端を下方に折曲した下方傾斜部とからなる熱交換器と、この熱交換器の垂直部の前方に固定される補助熱交換器と、送風ファンを備えた壁掛け式の空気調和機が開示されている。  
上記補助熱交換器の下部にはドレンガイドが取付けられていて、補助熱交換器で生成されるドレン水を受け、熱交換器垂直部に導くようにしている。熱交換器垂直部に導かれたドレン水はここで生成されるドレン水と合流し、ついには上記ドレンパンに受けられる。上記ドレンガイドは、ドレン水を受けるガイド部材と、このガイド部材に一体に設けられ上記熱交換器垂直部を構成する伝熱管に係止する複数の係止片を備えている。
【特許文献１】特開２０００−６５３８４号公報
【発明の開示】
【発明が解決しようとする課題】
【０００３】
ところで、［特許文献１］におけるドレンガイドを熱交換器垂直部に取付けるための複数の係止片は、言わば、引掛け爪構造のものであって、それぞれが熱交換器垂直部を構成するフィン相互間の隙間に介挿して、伝熱管に掛止される。  
しかしながら実際には、係止片相互の間隔と、フィン隙間の間隔とが必ずしも一致するものではなく、場合によっては係止片もしくはフィンのいずれかを無理に変形させて、係止片のフィン隙間挿入を可能にしなければならず、作業性が悪い。
【０００４】
また、ドレンガイドの両側部が取付け固定されてしまうため、合成樹脂材で形成されるドレンガイドが経年変化や、熱交換器の冷却・加熱作用によって収縮・膨張した際に両側部間で撓みが生じ、そのまま撓み変形として残ることがある。  
ドレンガイドの撓み変形によって、ドレンガイドの熱交換器に接触する部分と、熱交換器フィン端部との間隔に、広い部分や狭い部分が生じて不均一となる。通常、熱交換器フィンには親水性加工がなされていて、フィン表面に発生したドレン水は直ちに下方に流れるはずである。
【０００５】
しかしながら、フィン表面は、長期間の使用および塵埃の付着等によって親水性能が低下してくる。このような状態になるとフィンピッチが狭いので、ドレン水はフィン相互間に表面張力で水玉状に溜り易くなる。特に、ドレンガイドの熱交換器フィンと接する部分では、ドレンガイドとフィン端部との隙間にドレン水が多く溜る。  
上記したようにドレンガイドが撓み変形を生じると、ドレンガイドと熱交換器フィンとの隙間が熱交換器の幅方向でばらつき、これらの間に溜ったドレン水は隙間の大きい部位に集中するよう流れる。ドレン水が表面張力を維持できない量まで増加すると、比較的広い隙間部分から一気にドレン水が下方に流出する。一部のドレン水はフィン相互間から前方に飛散して、前面側に配置されるフィルタや前面パネルを濡らしたりして、これが本体内面にカビが発生する要因となる。
【０００６】
本発明は上記事情に着目してなされたものであり、その目的とするところは、補助熱交換器から滴下するドレン水を受けて主熱交換器に導くドレンガイドに対して、経年変化等による伸縮変形が生じても、それら変形を吸収してドレンガイドと主熱交換器との隙間を均等に維持し、ドレン水が一箇所に集中して溜ることやドレン水の飛散を防止し、ドレン水処理の信頼性向上を得られる空気調和機を提供しようとするものである。
【課題を解決するための手段】
【０００７】
上記目的を満足するため本願請求項１の発明は、本体内に配設され、それぞれ複数のフィンを狭小の間隙を存して並設し、これらフィンに熱交換パイプを貫通してなる主熱交換器と主熱交換器前面の一部に取付けられる補助熱交換器とからなる熱交換器を備え、主熱交換器の下端部下方にドレン水を受けるドレンパンを配置し、補助熱交換器の下端部下方にドレン水を受けて主熱交換器に案内するドレンガイドを備えた空気調和機において、主熱交換器は一方の側端部に引掛け爪部を設けた端板を設け、ドレンガイドは主熱交換器の幅方向に形成され補助熱交換器の下部前方から下方部を覆い補助熱交換器から滴下するドレン水を受け止める水受け案内部と、主熱交換器のフィン前面に当接されドレン水を主熱交換器側に導くように水受け案内部の下端に沿って主熱交換器の表面に接するように延設される面を構成する当て部とが一体に折曲形成された構成を有するとともに、一端部に主熱交換器端板の引掛け爪部に可動可能に掛止する掛止部と、他端部に主熱交換器を構成するフィン相互間に挿通され熱交換パイプに掛止する差し爪部を備えた。
【０００８】
上記目的を満足するため本願請求項３の発明は、本体内に配設され、それぞれ複数のフィンを狭小の間隙を存して並設し、これらフィンに熱交換パイプを貫通してなる主熱交換器と主熱交換器前面の一部に取付けられる補助熱交換器とからなる熱交換器を備え、主熱交換器下部にドレンパンを配置し、補助熱交換器下方にドレン水を受けて主熱交換器に案内するドレンガイドを備えた空気調和機において、主熱交換器は補助熱交換器の下端部下方に対応するフィン前面部に幅方向に亘って設けられ前面から奥行き方向に向かって切り欠かれた掛止用溝部を有し、ドレンガイドは幅方向に亘って設けられ主熱交換器の掛止用溝部に挿入する挿入片部と、この挿入片部の幅方向複数箇所に設けられ、掛止用溝部に引掛け固定する爪片部とを有する。
【０００９】
本願請求項１の発明によれば、経年変化等によるドレンガイドの伸縮変形を、ドレンガイド掛止部の熱交換器端板引掛け爪部に対する許容可動部分で吸収し、常にドレンガイドと主熱交換器との隔間を均等に維持する。たとえ熱交換器の親水性が劣化しても、ドレン水はドレンガイドの長手方向に均等に溜ってから流下し、一箇所に集中する流れが生じたり、前面側に飛散する現象を阻止できる。  
本願請求項３の発明によれば、経年変化等によるドレンガイドの伸縮変形を、掛止用溝部に対するドレンガイド挿入片部の許容可動部分で吸収し、ドレンガイドを主熱交換器に取付け固定でき、かつ補助熱交換器から流下するドレン水を受けて前面からの飛散を確実に防止する。
【発明の効果】
【００１０】
本発明は、補助熱交換器で生成されるドレン水を受けて主熱交換器に導くドレンガイドに係る、ドレン水処理の信頼性向上を得られるという効果を奏する。
【発明を実施するための最良の形態】
【００１１】
以下、図面を参照して本発明の実施の形態に係る空気調和機を構成する室内機について説明する。  
図１は空気調和機を構成する室内ユニットの概略縦断面図である。  
ユニット本体１は前面パネル２と後本体３とから構成されていて、上下方向に対して幅方向が極端に長い横長状をなす。前面パネル２の前面側一部に前部吸込み口４が開口され、ここでは図示しない開閉駆動機構に支持された可動パネル５が嵌め込まれている。運転停止時において、可動パネル５は前面パネル２と同一面となり前部吸込み口４を閉成するが、運転時には図中二点鎖線で示すように、上端部が手前側に突出変位して前部吸込み口４を開放するよう制御される。
【００１２】
前面パネル２の上部に亘って、枠状の桟７が嵌め込まれる上部吸込み口６が設けられる。前面パネル２の下部には、運転条件に応じて姿勢角度を可変し熱交換空気の吹出し方向を設定する、もしくは完全閉成する２枚の水平ルーバ８ａ，８ｂおよびこれら水平ルーバ８ａ，８ｂの奥側に縦ルーバ８ｃを備えた吹出し口９が設けられる。  
ユニット本体１内には、後述する室内熱交換器１０が配置されていて、前部吸込み口４と上部吸込み口６に対向して配置される。室内熱交換器１０と前面パネル２との間にはフィルタ１１が挿脱自在に取付けられる。
【００１３】
つぎに、上記室内熱交換器１０について説明する。この室内熱交換器１０は前側熱交換器部１０Ａと後側熱交換器部１０Ｂとで略逆Ｖ字状に形成される主熱交換器１００Ａを備えている。上記前側熱交換器部１０Ａは、前部吸込み口４の全部および上部吸込み口６の一部に対向して配置され、後側熱交換器部１０Ｂは上部吸込み口６の残り部分に対向して配置される。  
また、主熱交換器１００Ａを構成する前側熱交換器部１０Ａの前面上部および後側熱交換器部１０Ｂの上面に沿って、それぞれ補助熱交換器部１０Ｃ、１０Ｄが設けられ、前側熱交換器部１０Ａの前面下部に沿って過冷却用補助熱交換器部１０Ｅが設けられる。これら補助熱交換器部１０Ｃ、１０Ｄと過冷却用補助熱交換器部１０Ｅとで補助熱交換器１００Ｂが構成される。
【００１４】
ここでは室内熱交換器１０として、主熱交換器１００Ａと補助熱交換器１００Ｂとを組合せてなるものである。ただし、空気調和機の機種によっては、補助熱交換器１００Ｂとして補助熱交換器部１０Ｃ、１０Ｄだけのもの、あるいは補助熱交換器部１０Ｃだけのものもある。  
上記前側熱交換器部１０Ａの前面における補助熱交換器部１０Ｃと過冷却用補助熱交換器部１０Ｅの相互間には、空気清浄機１３が着脱自在に取付けられている。この空気清浄機１３は、電気集塵機と防臭フィルタとを並設してなるものである  
上記前側熱交換器部１０Ａと後側熱交換器部１０Ｂとの相互間に位置し、これらに覆われるように送風機１４が配置される。この送風機１４は、ファンモータと、このファンモータの回転軸に嵌着される横流ファンとから構成されている。上記横流ファンの軸方向長さは主熱交換器１００Ａの幅方向長さと略一致し、かつ正対するように配置される。
【００１５】
上記後本体３は、上記後側熱交換器部１０Ｂおよび補助熱交換器部１０Ｄの下端部傾斜に略一致する傾きをなし、これら下端部を囲むようにして後ドレンパン１５を備えている。そして、後ドレンパン１５から送風機１４の背面側に沿って曲成され、吹出し口９に至る壁部１６Ａが形成される。  
そして後本体３は、前側熱交換器部１０Ａと過冷却用補助熱交換器部１０Ｅの下端部に略一致する傾きをなし、これら下端部を囲む前ドレンパン１７を備えている。後ドレンパン１５と前ドレンパン１７は樋部を介して連通され、前ドレンパン１７には外部に延出されるドレンホースが接続される。（いずれも図示しない）
上記前側熱交換器部１０Ａの下端部は前ドレンパン１７上に載り、後側熱交換器部１０Ｂの下端部は後ドレンパン１５上に載る。前側熱交換器部１０Ａ上部に重ね合わせて取付けられる補助熱交換器部１０Ｃの下部には、ドレンガイド２０が後述するように取付けられる。  
後本体３における前ドレンパン１７の送風機１４前面側にノーズ１８が設けられ、ノーズ１８から吹出し口９に至る壁部１６Ｂが形成される。これら壁部１６Ｂ、１６Ａで、上記送風機１４から吹出し口９に連通する送風路１６が形成される。
【００１６】
このようにして構成される空気調和機の室内ユニットであり、リモコンの運転スイッチをオンに切換えると、前面パネル２に設けられる開閉駆動機構が作動して可動パネル５は前部吸込み口４を開放する。同時に送風機１４が駆動されるとともに、冷凍サイクル運転が開始される。室内空気は、上部吸込み口６と前部吸込み口４からユニット本体１内に導かれ、エアーフィルタ１１を通過して室内空気に含まれる塵埃が捕捉される。  
さらに、上記空気清浄機１３が作用して、エアーフィルタ１１で捕捉されなかった微細な塵埃を完全に捕捉し、かつ防臭機能を得る。清浄化した空気が熱交換器９に導かれ、主熱交換器１００Ａと補助熱交換器１００Ｂを通過して熱交換作用が行われる。熱交換した空気は送風路１６に沿って導かれ、吹出し口９から縦ルーバ８ｃと水平ルーバ８ａ，８ｂに案内されて室内へ吹出され、効率のよい空気調和運転がなされる。  
熱交換作用にともなって、主熱交換器１００Ａと補助熱交換器１００Ｂのそれぞれにドレンが生成され、フィン表面に付着する。はじめドレンは小さな露状であるが、時間の経過とともに露の直径が増大し、ついには重力の影響でフィン表面に沿って流下する。
【００１７】
前側熱交換器部１０Ａと過冷却用補助熱交換器部１０Ｅから滴下するドレン水を直接、前ドレンパン１７が受ける。後側熱交換器部１０Ｂと補助熱交換器部１０Ｄから滴下するドレン水を直接、後ドレンパン１５が受ける。後ドレンパン１５に溜るドレン水は図示しない樋部を介して前ドレンパン１７に導かれ、ここに溜るドレン水に合流する。そしてドレン水は前ドレンパン１７に接続されるドレンホースを介して外部へ排出される。  
一方、前側熱交換器部１０Ａ前面に重ね合わせた状態で取付けられる補助熱交換器部１０Ｃにドレン水が生成され、ついには流下すると、一旦、この下部に取付けられるドレンガイド２０に受け止められる。ドレンガイド２０で受け止められたドレン水は前側熱交換器部１０Ａ前面に導かれ、この熱交換器部を構成するフィン相互間を流下して前ドレンパン１７に溜るドレン水に合流する。
【００１８】
つぎに、上記ドレンガイド２０の取付け構造について詳述する。  
図２は室内熱交換器１０の側面図、図３は室内熱交換器１０と、この室内熱交換器１０からドレンガイド２０を分離した状態の斜視図、図４はドレンガイド２０単体での斜視図である。  
はじめに室内熱交換器１０から説明すると、室内熱交換器１０を構成する主熱交換器１００Ａおよび補助熱交換器１００Ｂともに、多数枚のフィンＦが狭小の間隙を存して並設され、これらフィンＦの左右両側端には板厚の厚い端板Ｔが設けられる。これら端板Ｔと全てのフィンＦに複数本の熱交換パイプＰが所定間隔を存して貫通して設けられる。端板Ｔから突出する熱交換パイプＰの端部で、隣接する部位相互にＵベンドＢが嵌め込まれ、かつロー付けなどの手段で密に連結固定される。したがって、熱交換パイプＰとＵベンドＢで１つの冷媒流路が構成される。
【００１９】
なお、上記ドレンガイド２０は実際には前側熱交換器部１０Ａに取付けられ、補助熱交換器部１０Ｃで生成され流下するドレン水を受けるようになっているが、以下、説明の都合上、前側熱交換器部１０Ａを主熱交換器１０Ａと呼び、補助熱交換器部１０Ｃを補助熱交換器１０Ｃと呼ぶ。  
上記ドレンガイド２０は、ガイド本体２１と、このガイド本体２１の一端部に設けられる掛止部２２と、他端部に設けられる差し爪部２３とから構成される。ドレンガイド２０自体、合成樹脂材で成形されていて、ガイド本体２１に対して掛止部２２と差し爪部２３は一体構造化されている。
【００２０】
上記ガイド本体２１は、主熱交換器１０Ａの幅方向と対向する幅方向（ドレンガイド２０の長手方向でもある）寸法が、主熱交換器１０Ａの幅方向寸法と略同一に形成されている。  
すなわち、ガイド本体２１の両側端位置は主熱交換器１０Ａを構成する端板Ｔの位置と略一致し、互いに対向する。ガイド本体２１の幅方向とは直交する方向である高さ方向の寸法は、主熱交換器１０Ａに補助熱交換器１０Ｃを重ね合わして取付けた状態で、補助熱交換器１０Ｃの厚さ寸法よりも大に形成される。これは、補助熱交換器１０Ｃに生成されたドレン水がそのまま滴下しても、確実に受け止めてガイドできる寸法を確保するためである。
【００２１】
ガイド本体２１の高さ方向には、ドレンガイド２０が主熱交換器１０Ａに取付けられた状態で補助熱交換器１０ｃの下部前方から下方部を覆い補助熱交換器１０ｃから滴下するドレン水を受け止めるように、略垂直方向に向けられる垂直部２１ａと、この垂直部２１ａ下端から斜めに傾斜する傾斜部２１ｂより水受け案内部を構成し、主熱交換器１０Ａのフィン前面に当接されドレン水を主熱交換器１０Ａ側に導くように水受け案内部を構成する傾斜部２１ｂの下端に沿って主熱交換器１０Ａの表面に接するよう略垂直方向に延設される面を構成する当て部２１ｃとが一体に折曲形成されている。
【００２２】
そして、ガイド本体２１の両側端から所定間隔を存した位置で、垂直部２１ａ上端縁から下部側に複数（４ヶ所）の切込み部２５が設けられ、ここに固定具である引掛け用ばね２６の一部が掛止される（図３において、引掛け用ばね２６を２本のみ示す）。上記切込み部２５の下方に対向する当て部２１ｃの一部はさらに下方に一体に突出され、切込み部を備えた補助リブ２７が設けられる。  
上記引掛け用ばね２６の一部は補助リブ２７の切込み部にも掛止している。したがって、引掛け用ばね２６は上端部と下端部がガイド本体２１上下端から突出して取付けられており、この突出部の先端は上記熱交換器１０を構成する熱交換パイプＰの半径と同一のＲ状に曲成加工される。
【００２３】
なお、上記当て部２１ｃの左右両側端にも上記補助リブ２７と同一の延出寸法で、かつ補助リブ２７の幅寸法より狭い幅寸法の当てリブ２８が設けられる。すなわち、この当てリブ２８は上記掛止部２２と差し爪部２３の下部に一体に延設されることになる。また、ドレンガイド２０を主熱交換器１０Ａに取付けた状態で、主熱交換器１０Ａに対向する面であるガイド本体２１の内面に複数のスペース保持用リブ２９が設けられる。  
なお説明すると、スペース保持用リブ２９はガイド本体２１の両側端からある程度離間した位置から、ガイド本体２１の幅方向に沿い所定間隔を存して、かつ傾斜部２１ｂと当て部２１ｃに亘って設けられて、ここでは合計８ヶ所存在する。
【００２４】
上記掛止部２２は、ガイド本体２１の一側端（図４で手前側端部）に設けられていて、ガイド本体２１の内面側へ突出し、ガイド本体２１の幅方向に沿って所定の幅寸法を有しいる。そして、側面視で開放側がガイド本体２１内面と対向する略コの字状をなす部分と、このコ字状部内面に隙間Ｓを形成する板部とからなる。  
ガイド本体２１の他端部内面に設けられる上記差し爪部２３は、主熱交換器１０Ａを構成するフィンＦ相互の間隙に挿入可能な板厚を備える板片からなる。差し爪部２３を側面視で見ると、開放側が主熱交換器１０Ａに対向する略Ｕ字状になる。この上部側片部２３ａと下部側片部２３ｂはともに先端が略尖鋭状になっていて、上部側片部２３ａの上端縁および下部側片部２３ｂの下端縁には、主熱交換器１０Ａを構成する上記熱交換パイプＰと同一の曲率半径でＲ状の切欠き部３０が設けられる。
【００２５】
このようにして構成されるドレンガイド２０は、以下に述べるようにして主熱交換器１０Ａに取付け固定される。  
図５は、ドレンガイド２０一側端の主熱交換器１０Ａに対する取付け構造を示す斜視図、図６は同部位の取付け構造を示す側面図、図７はドレンガイド２０他側端の主熱交換器１０Ａに対する取付け構造を示す側面図である。  
はじめに、ドレンガイド２０の一側端にある掛止部２２を主熱交換器１０Ａに取付ける。図５および図６に示すように、主熱交換器１０Ａを構成する端板Ｔには、上下に離間した位置に引掛け爪部４０Ａ，４０Ｂが設けられる。これら引掛け爪部４０Ａ，４０Ｂは、端板Ｔの端縁一部を矩形状にして延出させ、かつその延出部を端板Ｔの板面とは直交する方向に折曲げて一体に形成したものである。
【００２６】
上部側の引掛け爪部４０Ａは左右両側の端板Ｔに設けられていて、上記補助熱交換器１０Ｃに設けられる掛止部Ｋに掛止される。したがって、補助熱交換器１０Ｃは主熱交換器１０Ａに重ね合わされた状態で取付け固定されている。  
下部側の引掛け爪部４０Ｂは一方（手前側）の端板Ｔにのみ設けられていて、ここにはドレンガイド２０の一端部に設けられる掛止部２２が掛止される。なお説明すると、ドレンガイド２０の一側端を引掛け爪部４０Ｂに対向させ、かつ掛止部２２の隙間Ｓを引掛け爪部４０Ｂに挿入する。上記掛止部２２に形成される隙間Ｓの縦横寸法は、この隙間Ｓに引掛け爪部４０Ｂを挿入した状態で充分に大となるように設計されていて、引掛け爪部４０Ｂに対して掛止部２２を備えたドレンガイド２０は可動可能である。
【００２７】
つぎに、ドレンガイド２０の他側端に設けられる差し爪部２３を主熱交換器１０Ａに取付ける。主熱交換器１０Ａの幅方向寸法に対するドレンガイド２０の同方向寸法の設定から、差し爪部２３は主熱交換器１０Ａの端板Ｔと最側端フィンＦとの間、もしくは側端部にあるフィンＦ相互間に挿入される。このとき既にドレンガイド２０の一側端において掛止部２２が端板引掛け爪部４０Ｂに掛止しているが、掛止部２２は引掛け爪部４０Ｂに対して可動可能であるので、差し爪部２３の挿入には何らの無理もかからない。  
特に図７に示すように、上記差し爪部２３は主熱交換器１０Ａの上下に対向する熱交換パイプＰ相互間に挿入され、差し爪部２３の上部側片部２３ａの上端縁と下部側片部２３ｂの下端縁にそれぞれ設けられるＲ状の切欠き部３０が上下熱交換パイプＰに掛止する。したがって、ドレンガイド２０の他側端が主熱交換器１０Ａに取付け固定される。  
最後に、ガイド本体２１の外面側に設けられ、上下に突出する引掛け用ばね２６の先端曲成部を主熱交換器１０ＡのフィンＦ相互間に挿入し、かつ熱交換パイプＰに掛止する。以上で、ドレンガイド２０の主熱交換器１０Ａへの取付け固定が完了することになる。
【００２８】
この状態で、ドレンガイド２０のガイド本体２１を構成する当て部２１ｃが主熱交換器１０Ａに当接する。特に、スペース保持用リブ２９端縁が主熱交換器１０Ａに当接することにより、上記差し爪部２３が必要以上に主熱交換器１０Ａ内に挿入されるのを規制する。中間部に設けられるそれぞれの引掛けばね２６は、ドレンガイド２０中間部の浮きを防止する。  
ドレン本体２１である当て部２１ｃと傾斜部２１ｂおよび垂直部２１ａと、主熱交換器１０Ａとの間に、補助熱交換器１０Ｃで生成され流下するドレン水を一旦溜められる空間部が形成される。特に図７に示すように、上記主熱交換器１０Ａと当接する当て部２１ｃの内面には、上下方向に複数で幅方向全長に亘って段部３１が設けられる。実際には、これら段部３１の突出端が主熱交換器１０Ａに当接していて、上記段部３１をここでは邪魔板部と呼ぶ。
【００２９】
上記室内熱交換器１０の熱交換作用にともなって、主熱交換器１０Ａおよび補助熱交換器１０Ｃにドレン水が生成され、ついには流下する。補助熱交換器１０Ｃから流下するドレン水は、ドレンガイド２０と主熱交換器１０Ａとで形成される空間部に一旦溜まる。そしてドレンガイド２０に案内され、主熱交換器１０Ａを構成するフィンＦ相互間に導かれて流下する。ついには、前ドレンパン１７に集溜するドレン水と合流し外部へ排出される。  
ドレンガイド２０で受けられたドレン水の一部は、ガイド本体２１の下端部を構成する当て部２１ｃと主熱交換器１０Ａとの当接面を介して流下しようとする。ところが、当て部２１ｃの内面には邪魔板部３１が設けられていて、主熱交換器１０Ａに当接している。したがって、当て部２１ｃと主熱交換器１０Ａの当接部位との間を介して流下しようとするドレン水は、邪魔板部３１に抵抗されて円滑には流れない。
【００３０】
なお説明すると、ドレンガイド２０の主熱交換器１０Ａとの接触面部位に邪魔板部３１が存在しないうえに、部分的に隙間が生じてしまうと、ドレンガイド２０に保水されたドレン水が部分的に生じてしまった隙間に集中し、勢いを増したあげくに流下する。そこで、当て部２１ｃに邪魔板部３１を設けることにより、ドレンガイド２０に保水されたドレン水を左右に拡散させるとともに、ドレンガイド２０に沿って勢いを増さないように抑制する。  
また、長期間の使用にともなう経年変化と、冷房運転で冷却され、暖房運転で加熱されることによりドレンガイド２０は伸縮変形することがある。特に、高さ方向寸法と比較して極端に幅方向寸法が長いので、同方向に沿って伸縮変形し易い。従来のように、ドレンガイドの左右両側端を主熱交換器１０Ａに取付け固定してしまうと、両側端の間に生じた伸縮変形が不均一な撓み変形として残る。
【００３１】
これに対して本発明のドレンガイド２０は、一方の端部に設けられる差し爪部２３が主熱交換器１０Ａに取付け固定されるが、他方の端部に設けられる掛止部２２を主熱交換器１０Ａの引掛け爪部４０に可動可能に掛止している。したがって、経年変化等によりドレンガイド２０が幅方向に沿って伸縮変形を生じても、単に掛止部２２が引掛け爪部４０に対して移動するだけであり、この移動により伸縮変形が吸収される。従来のような不均一な撓み変形の発生がなく、ドレンガイド２０の主熱交換器１０Ａとの隙間を常に一定に保持でき、ドレン水処理の信頼性の向上を得られる。
【００３２】
つぎに、本発明の第２の実施の形態を図面にもとづいて説明する。  
図８はドレンガイド５０の斜視図、図９（Ａ）はドレンガイド５０の一部を拡大した斜視図、図９（Ｂ）は図９（Ａ）とは逆側から見たドレンガイド５０の一部を拡大した斜視図、図１０は主熱交換器１０Ａに対するドレンガイド５０の取付けを説明する斜視図、図１１はドレンガイド５０を主熱交換器１０Ａに取付けた状態を示す断面図である。  
上記ドレンガイド５０は、主熱交換器１０Ａの幅方向寸法と略同一となる幅方向寸法に形成される。ドレンガイド５０は側面視で斜め上方へ突出するドレン受け部５１と、このドレン受け部５１の下端から下方に突出する当て部５２と、これらドレン受け部５１と当て部５２との境部分から略水平方向に突出する挿入片部５３が一体成形される。
【００３３】
上記ドレン受け部５１と当て部５２および挿入片部５３は、ドレンガイド５０の長手方向に沿って直状に形成される。ドレン受け部５１の内面側には複数の補強用リブ５４が所定間隔を存して設けられる。上記補強用リブ５４はドレンガイド５０の左右両側端部と、中間部に一対あって、合計４個設けられる。上記当て部５２の内面には第１の実施の形態と同様構造の邪魔板部（３１）が形成される。特に、挿入片部５３には複数の爪片部５５が所定間隔を存して設けられて、ここでは爪片部５５の位置は上記補強用リブ５４の位置と一致する。  
なお爪片部５５について説明すると、爪片部５５の突出長さは挿入片部５３の突出長さと同一である。爪片部５５はドレンガイド５０の幅方向に沿って所定の長さ寸法を有し、突出端縁から基端部近傍まで挿入片部５３に対して切込み部５６が形成される。そして、挿入片部５３に対して爪片部５５の突出角度が僅かに相違していて、挿入片部５３の上面に対して爪片部５５の上面が僅かに落ち込んでいる。爪片部５５の先端縁に沿って先端爪５５ａが突出形成される。
【００３４】
これに対して主熱交換器１０Ａにおける補助熱交換器１０Ｃの下方部位には、主熱交換器１０Ａの幅方向全長に亘って掛止用溝部６０が設けられる。すなわち、掛止用溝部６０は主熱交換器１０Ａを構成する全てのフィンＦおよび端板Ｔの端縁に亘って設けられるものであり、上記爪片部５５が抵抗を感じながら挿入可能な高さ寸法に形成される。  
このようなドレンガイド５０の構成であるうえに主熱交換器１０Ａに対する加工がなされていて、特に図１１に示すようにドレンガイド５０を主熱交換器１０Ａに取付け固定する。すなわち、ドレンガイド５０の挿入片部５３に対して爪片部５５の角度を同一に揃え、挿入片部５３とともに爪片部５５を掛止用溝部６０に挿入する。
【００３５】
この状態で、補強用リブ５４の端縁と当て部５２の内面が主熱交換器１０Ａに当接する。補強用リブ５４の存在によって当て部５２が確実に主熱交換器１０Ａに当接し、よってドレン受け部５１と主熱交換器１０Ａとの間にドレン水を一旦溜めるための空間スペースが形成される。  
挿入片部５３に爪片部５５を設け、互いの突出角度を相違した。掛止用溝部６０への挿入時には互いの角度を同一に揃えるが、完全に挿入した状態で爪片部５５に弾性復帰力が作用して先端爪５５ａが掛止用溝部６０に食い込む。したがって、ドレンガイド５０の主熱交換器１０Ａに対する取付け固定が確実なものとなる。  
ドレンガイド５０は補助熱交換器１０Ｃから流下するドレン水を一旦受けて主熱交換器１０Ａに確実に案内し、前面からの飛散を確実に防止できることは、ここでも変りがない。そして、経年変化等によりドレンガイド５０が幅方向に伸縮変形しても、ドレンガイド５０の挿入片部５３と爪片部５５が主熱交換器１０Ａの掛止用溝部６０内を移動して伸縮を吸収する。したがって、ドレンガイド５０の撓み変形がなく、ドレンガイド５０と主熱交換器１０Ａとの隙間が常に均一を保持し、ドレン水処理の信頼性向上を得られる。
【図面の簡単な説明】
【００３６】
【図１】本発明の第１の実施形態に係る、空気調和機の概略断面図。
【図２】同第１の実施の形態に係る、熱交換器の側面図。
【図３】同第１の実施形態に係る、主熱交換器に対するドレンガイドの取付け構造を説明する斜視図。
【図４】同第１の実施の形態に係る、ドレンガイドの斜視図。
【図５】同第１の実施形態に係る、ドレンガイド一側端の主熱交換器への取付け構造を示す斜視図。
【図６】同第１の実施の形態に係る、ドレンガイド一側端の主熱交換器への取付け構造を示す側面図。
【図７】同第１の実施形態に係る、ドレンガイド他側端の主熱交換器への取付け構造を示す側面図。
【図８】本発明の第２実施の形態に係る、ドレンガイドの斜視図。
【図９】同第２の実施形態に係る、ドレンガイド一部の上面側から見た斜視図と、下面側から見た斜視図。
【図１０】同第２の実施の形態に係る、主熱交換器に対するドレンガイドの取付け構造を説明する斜視図。
【図１１】同第２の実施の形態に係る、ドレンガイド一端側の主熱交換器への取付け構造を示す側面図。
【符号の説明】
【００３７】
１…ユニット本体、Ｆ…フィン、Ｐ…熱交換パイプ、１０Ａ（１００Ａ）…主熱交換器、１０Ｃ（１００Ｂ）…補助熱交換器、１７…前ドレンパン、１８…後ドレンパン、２０…ドレンガイド、４０Ｂ…引掛け爪部、Ｔ…端板、２１ａ…垂直部、２１ｂ…傾斜部、２１ｃ…当て部、２２…掛止部、２３…差し爪部、３１…邪魔板部、５０…ドレンガイド、６０…掛止用溝部、５３…挿入片部、５５…爪片部。
【図１】
2005214448.tif 000003
【図２】
2005214448.tif 000004
【図３】
2005214448.tif 000005
【図４】
2005214448.tif 000006
【図５】
2005214448.tif 000007
【図６】
2005214448.tif 000008
【図７】
2005214448.tif 000009
【図８】
2005214448.tif 000010
【図９】
2005214448.tif 000011
【図１０】
2005214448.tif 000012
【図１１】
2005214448.tif 000013